(57)【特許請求の範囲】
【請求項１】
オペアンプと抵抗との組合わせから成るボリウムを、少なくとも２段に直列接続したボリウム回路において、前段のボリウムを構成する前段のオペアンプの入力オフセットに対して、後段のボリウムを構成する後段のオペアンプの入力オフセットを一致させるように上記後段のオペアンプの入力オフセットを調整するキャリブレーション手段を備え、
上記キャリブレーション手段は、
上記後段のオペアンプをコンパレータに設定する後段ボリウムスイッチ部と、
上記後段のオペアンプの非反転入力側に上記前段のオペアンプの入力オフセットの相殺電圧を入力する相殺電圧発生手段と、
上記前段のオペアンプの入力オフセットと上記相殺電圧とを上記後段ボリウムスイッチ部によりコンパレータに設定された上記後段のオペアンプで比較し、その比較結果に基づいて、上記前段のオペアンプと後段のオペアンプの入力オフセット差が０となるように上記相殺電圧発生手段を制御するコントロール回路と、
を有することを特徴とするボリウム回路。
【請求項２】
上記前段のオペアンプをボルテージフォロアに設定して、上記前段のオペアンプの入力オフセットを発生させる前段ボリウムスイッチ部を備えたことを特徴とする請求項１に記載のボリウム回路。
【発明の詳細な説明】
【０００１】
【発明の属する技術分野】
本発明はオペアンプと抵抗との組み合わせから成る複数のボリウムが直列接続されたボリウム回路のオフセットの調整に関するものである。
【０００２】
【従来の技術】
音楽を聴くオーディオやラジオカセットや映像をみるテレビジョン等の音声機器では、従来、音楽や音声の音の大きさを変えるボリウム回路において、抵抗値を連続的に変化させるスライド抵抗を用いて音の大きさを変えていた。しかし、このスライド抵抗では、接触部が摩耗してしまうという欠点があり、現在では、オペアンプの入力抵抗とフィードバック抵抗をスイッチで切り替えて増幅度を段階的に変化する増幅器を設けたボリウム回路がよく使用されている。
【０００３】
図７は、音楽信号等のアナログ信号の大きさを調整する従来のボリウム回路の一例を示す回路図であり、同図において、１は入力端子２からカップリングコンデンサ２ｃを介して入力されるアナログ信号を調整して、出力端子３より出力する前段のボリウム、４は上記出力端子３から出力される信号を入力する入力端子５を有し、この入力端子５からのアナログ信号を調整して、出力端子６より出力する後段のボリウムである。
【０００４】
上記ボリウム１は反転増幅するオペアンプ７と、このオペアンプ７のフィードバック抵抗８と、この抵抗８と入力端子２との間に直列に接続された抵抗９，１０と、一端が上記抵抗９と抵抗１０との間に接続され、他端が上記オペアンプ７の反転入力端子１１側に接続されたスイッチ１２と、一端が上記抵抗８と抵抗１０との間に接続され、他端がオペアンプ７の反転入力端子１１側に接続されたスイッチ１３とから構成される。
なお、上記オペアンプ７の非反転入力端子１４側は、仮想グランド（電源電圧Ｖccとグランド（０Ｖ）との中点）に接続されるものとする。
【０００５】
また、上記ボリウム４は反転増幅するオペアンプ１５と、このオペアンプ１５のフィードバック抵抗１６と、この抵抗１６と入力端子５との間に直列に接続された抵抗１７，１８と、一端が上記抵抗１７と抵抗１８との間に接続され、他端が上記オペアンプ１５の反転入力端子１９側に接続されたスイッチ２０と、一端が上記抵抗１６と抵抗１８との間に接続され、他端がオペアンプ１５の反転入力端子１９側に接続されたスイッチ２１とから構成される。
なお、上記オペアンプ１５の非反転入力端子２２側は、上記仮想グランドに接続されるものとする。
【０００６】
このような構成において、入力端子２に音楽等のアナログ信号が入力されると、この信号は抵抗９から、スイッチ１２がオンのときにこのスイッチ１２を介してオペアンプ７の反転入力端子１１に入力され、あるいはスイッチ１３がオンのとき抵抗１０からこのスイッチ１３を介してオペアンプ７の反転入力端子１１に入力されて、オペアンプ７で増幅された後に、出力端子３より出力される。
また、入力端子５に、上記出力端子３からのアナログ信号が入力されると、この信号は抵抗１７から、スイッチ２０がオンのときこのスイッチ２０を介してオペアンプ１５の反転入力端子１９に入力され、あるいはスイッチ２１がオンのとき、抵抗１８からこのスイッチ２１を介してオペアンプ１５の反転入力端子１９に入力されて、オペアンプ１５で増幅された後に、出力端子６より出力される。
このように、入力端子２に入力される音楽信号等のアナログ信号は、ボリウム１とボリウム４とで２段に増幅された後、出力端子６より図外のスピーカーに出力されて、スピーカーを鼓動させる。
【０００７】
次に、２段直列接続されたボリウム回路による増幅の挙動について説明する。入力端子２に入力される音楽信号等のアナログ信号は、仮想グランドを基準電位としたボリウム１のオペアンプ７で反転増幅される。このとき、オペアンプ７で反転増幅されたアナログ信号には、オペアンプ７の入力オフセット電圧に基づく出力電圧が直流成分として加えられる。このアナログ信号は、更に、ボリウム４の仮想グランドを基準電位としたオペアンプ１５で反転増幅される。
このボリウム４での増幅においては、交流成分としては、アナログ信号が増幅され、直流成分としては、上記オペアンプ７の出力電圧とオペアンプ１５の入力オフセット電圧との電位差が増幅される。
【０００８】
すなわち、実際のオペアンプにおいては、オペアンプの入力回路である差動増幅器のトランジスタ、又はＦＥＴのアンバランスにより、オペアンプの入力端子間をショートして差動入力電圧を０にしたときに出力端子に出力電圧（出力オフセット）が発生する。この出力オフセットはオペアンプの増幅率により変化するので、通常、オペアンプのオフセットを表わす場合、上記出力オフセットを用いずに、出力オフセットを入力端子間の電圧に換算した値である入力オフセット（入力オフセット電圧）を用いて表わしている。
但し、ボリウム１では、カップリングコンデンサ２ｃにより前段と直流的に遮断されているため抵抗９には直流電流が流れないので、オペアンプ７の出力オフセットは、オペアンプ７の増幅率によらず、オペアンプ７の入力オフセット電圧と等しい値となる。
【０００９】
このような２段の増幅の挙動について、より具体的に数式を用いて説明する。
まず、前段のボリウム１で抵抗の切換えを行うスイッチ１２，１３は、スイッチ１２がオンでスイッチ１３がオフ、後段のボリウム４で抵抗の切換えを行うスイッチ２０，２１は、スイッチ２０がオフでスイッチ２１がオンであるとする。入力端子３から入力された信号は前段のボリウム１において増幅率Ａ13＝（Ｒ12＋Ｒ13）／Ｒ11で増幅され前段のボリウム１の出力端子３から後段のボリウム４の入力端子５に送られる。上記増幅された信号は、後段のボリウム４において増幅率Ａ21＝Ｒ23／（Ｒ21＋Ｒ22）で増幅され出力端子６から出力される。
なお、Ｒ11，Ｒ12，Ｒ13はそれぞれ抵抗９，１０，８の抵抗値であり、Ｒ21，Ｒ22，Ｒ23はそれぞれ抵抗１７，１８，１６の抵抗値である。
【００１０】
ここで、後段のボリウム４で抵抗の切換えを行うスイッチ２０をオンしスイッチ２１をオフすると、後段のボリウム４の増幅率は、上記増幅率Ａ21から増幅率Ａ23＝（Ｒ22＋Ｒ23）／Ｒ21に増加するため、ボリウム回路の増幅率は増加し、出力端子６から出力される信号の振幅は増加することになり、２段の増幅が行われる。
【００１１】
【発明が解決しようとする課題】
しかしながら、従来の上記ボリウム回路によれば次の問題が発生する。すなわち、２段の増幅のボリウム調整を前段のボリウム１の増幅率を変化させて行ったとき、前段のボリウム１の出力端子３には、ボリウム１の出力オフセットとしての出力電圧Ｖ01が発生する。この出力電圧Ｖ01は、上述したように、オペアンプ７の入力オフセット電圧ｖ01に等しいので、ボリウム１の増幅率を変化させても変化しないが、後段のボリウム４の増幅率を変化させて行ったときには、上記出力電圧Ｖ01と後段のオペアンプ１５の入力オフセット電圧との差、すなわち、前段のオペアンプ７の入力オフセット電圧ｖ01と後段のオペアンプ１５の入力オフセット電圧ｖ02との差が、後段のボリウム４の増幅率の変化に伴って変化する。この変化の信号が図外のスピーカーに出力されて、大きな「ボツッ」という音、いわゆるポップ音を発生させることがある。
このようなポップ音発生の挙動について、図８を用いて説明する。ボリウム１の出力端子３には、上述したようにオペアンプ７の入力オフセット電圧ｖ01に等しい出力オフセットとしての出力電圧Ｖ01が発生する。ボリウム回路が、上記のように２段で構成されている場合には、前段のボリウム１からの上記出力電圧Ｖ01は、後段のボリウム４により増幅されるため、後段のオペアンプ１５の出力端子６には、ボリウム４の増幅率をＡ21とし、オペアンプ１５の入力オフセット電圧をｖ02としたときには、ボリウム４の出力端子６にはＶ02＝Ａ21・（Ｖ01−ｖ02）＋ｖ02なる出力オフセットが発生する。ここで、時刻ｔｃにおいて、ボリウム４のスイッチ２０をオンしスイッチ２１をオフすると、ボリウム４の増幅率は上記増幅率Ａ23になるので、ボリウム４の出力オフセットＶ02はＶ02＝Ａ23・（Ｖ01−ｖ02）＋ｖ02となる。したがって、ボリウム４の出力オフセットＶ02は、ボリウム４での増幅率の変化分に比例したΔＶ＝（Ａ23−Ａ21）・（Ｖ01−ｖ02）だけ増加することになる。上記出力電圧Ｖ01はオペアンプ７の入力オフセット電圧ｖ01に等しいので、ボリウム４の出力オフセットＶ02の変化分ΔＶは、オペアンプ７の入力オフセット電圧ｖ01とオペアンプ１５の入力オフセット電圧ｖ02との差に比例した値、すなわち、ΔＶ＝（Ａ23−Ａ21）・（ｖ01−ｖ02）となる。
【００１２】
したがって、上記ボリウム回路が通常の音声等の交流電圧を増幅している場合には、上記増幅率の切換えによるオフセットの変化があっても問題はないが、入力がＤＣ的に無入力（無音状態）である場合には、上記増幅率の切換えによって発生する出力電圧が上記ΔＶの段差的な変化をするため、聴覚的に「ボツッ」という音、すなわちポップ音が発生するといった問題点があった。
【００１３】
このポップ音は、ホームオーディオ、カーオーディオ等で問題となり、特に、エンジンを切った時の密閉された車の中では、大きな音として聞こえてしまい、不快に思われている。
【００１４】
このポップ音は、前段のオペアンプ７の入力オフセット電圧ｖ01と、後段のオペアンプ１５の入力オフセット電圧ｖ02に起因しているので、例えば、それぞれのオペアンプ７，１５の非反転入力端子１４，２２側に出力オフセットＶ01，Ｖ02を抑制するためのオフセット調整用の抵抗を接続して各出力オフセットＶ01，Ｖ02を小さくする方法が知られている。しかし、この場合には、ボリウム１あるいはボリウム４の増幅率が変化した場合には、上記オフセット調整用の抵抗の値も変化させないと上記各出力オフセットＶ01，Ｖ02を抑制することができず、従って上記ΔＶをなくすことができなかった。なお、上記オフセット調整用の抵抗を複数設けて、ボリウム１及びボリウム４での増幅率の変化に応じて上記オフセット調整用の抵抗を切換えるようにすることも考えられるが、部品点数が増加し回路が複雑化してしまうという問題点があった。
【００１５】
本発明は上記問題点を解消するためになされたものであり、ボリウムの増幅率を変化させたときに発生するポップ音を小さくすることを目的とする。
【００１６】
【課題を解決するための手段】
本発明の請求項１に記載のボリウム回路は、前段のボリウムを構成する前段のオペアンプの入力オフセットに対して、後段のボリウムを構成する後段のオペアンプの入力オフセットを一致させるように上記後段のオペアンプの入力オフセットを調整するキャリブレーション手段を備えたものであって、上記キャリブレーション手段は、上記後段のオペアンプをコンパレータに設定する後段ボリウムスイッチ部と、上記後段のオペアンプの非反転入力側に上記前段のオペアンプの入力オフセットの相殺電圧を入力する相殺電圧発生手段と、上記前段のオペアンプの入力オフセットと上記相殺電圧とを上記後段ボリウムスイッチ部によりコンパレータに設定された上記後段のオペアンプで比較し、その比較結果に基づいて、上記前段のオペアンプと後段のオペアンプの入力オフセット差が０となるように上記相殺電圧発生手段を制御するコントロール回路と、を有することを特徴とするものである。
【００１７】
本発明の請求項２に記載のボリウム回路は、上記前段のオペアンプをボルテージフォロアに設定して、上記前段のオペアンプの入力オフセットを発生させる前段ボリウムスイッチ部を備えたものである。
【００１９】
【発明の実施の形態】
以下、本発明の実施の形態について図面に基づき説明する。
【００２０】
実施の形態１．
図１は、本発明によるボリウム回路の実施の形態１を示す回路図であり、図４と同じものは同一符号を用いている。
本例では、上記前段のボリウム１に、上記抵抗９と抵抗１０との間に接続された第１スイッチ部（前段ボリウムスイッチ部）としての切換スイッチ２３を設けるとともに、上記後段のボリウム４に、入力端子５と抵抗１７との間と、オペアンプ（後段のオペアンプ）１５の反転入力端子１９との間に接続された第２スイッチ部（後段ボリウムスイッチ部）としての切換スイッチ２５と、オペアンプ１５の非反転入力端子２２側に相殺電圧を出力する相殺電圧発生手段２６と、コントロール回路２７とより成るキャリブレーション手段２４を設けている。
【００２１】
図２は、上記ボリウム回路の等価回路を示す回路図であり、図１と同じものは同一符号を用いている。
【００２２】
上記相殺電圧発生手段２６は、第１の定電圧源Ｖ１（通常は、電源電圧Ｖcc）と第２の定電圧源Ｖ２（通常は、グランド）間に設けられた抵抗Ｒｃからの相殺電圧Ｖkを可変的に取り出すもので、この相殺電圧Ｖkの値はほぼＶcc／２に設定されているがコントロール回路２７の出力に応じて調整可能である。
【００２３】
なお、通常動作時には、前段のボリウム１内のキャリブレーション用の切換スイッチ２３はオン状態で、後段のボリウム４内のキャリブレーション用の切換スイッチ２５はオフ状態となっており、上記相殺電圧Ｖk＝Ｖcc／２の場合には、上記従来のボリウム回路の構成と同一となる。したがって、アナログ信号の増幅の挙動については、上述した上記従来のボリウム回路と同様の動作を行うので、説明を省略する。
【００２４】
以上の構成においてキャリブレーションを行うには、アナログ信号の増幅に先立って、図外の電源投入時に、まず、第１スイッチ部としてのスイッチ２３をオフし、スイッチ１２又はスイッチ１３をオンして、図３に示すように、前段のボリウム１のオペアンプ（前段のオペアンプ）７をボルテージフォロアに設定する。これにより、オペアンプ７の出力端子３側よりオペアンプ７の入力オフセット電圧ｖ01を発生させる。
【００２５】
次に、第２スイッチ部としてのスイッチ２５をオンし、ボリウム１の出力端子３の出力オフセットとしての出力電圧Ｖ01（この出力電圧Ｖ01はオペアンプ７の入力オフセット電圧ｖ01に等しい）をオペアンプ１５の反転入力端子１９に入力させて、スイッチ２０とスイッチ２１との両方をオフして、後段のボリウム４のオペアンプ１５を図３に示すようにコンパレータに設定する。
【００２６】
相殺電圧発生手段２６の出力の相殺電圧Ｖkは、コンパレータに設定されたオペアンプ１５の非反転入力端子２２に入力される。
この相殺電圧Ｖkと上記オペアンプ７の出力電圧Ｖ01、すなわちオペアンプ７の入力オフセット電圧ｖ01とは、ボリウム４のコンパレータで比較されて、出力端子６の出力電圧は、オペアンプ７の入力オフセット電圧ｖ01が大きい場合には０Ｖが出力され、相殺電圧Ｖkが大きい場合にはＶccが出力される。
【００２７】
キャリブレーション手段２４のコントロール回路２７は、相殺電圧発生手段２６を制御し、オペアンプ７の入力オフセット電圧ｖ01と相殺電圧Ｖkとを一致させて、出力端子６の出力電圧が０ＶとＶccとが切り替わる交代点のしきい値になるように、相殺電圧発生手段２６の出力の相殺電圧Ｖkを制御する。
すなわち、オペアンプ７の入力オフセット電圧ｖ01と相殺電圧Ｖkとを一致させるように、オペアンプ１５の基準電位を制御する。
【００２８】
オペアンプ１５に入力オフセット電圧ｖ02がある場合には、コントロール回路２７は、上記相殺電圧Ｖkに、更に、上記入力オフセット電圧ｖ01を相殺するように上記相殺電圧発生手段２６を制御する。具体的には、上記相殺電圧ＶkをＶk＝Ｖ01−ｖ02＝ｖ01−ｖ02に設定し、前段のボリウム１の入力オフセットｖ01に対して、後段との入力オフセット電圧があたかもオペアンプ７の入力オフセット電圧ｖ01に等しくなるように、すなわち、前段と後段の入力オフセット差が０となるように上記相殺電圧発生手段２６を制御することにより、後述するように、ボリウム４の出力オフセットを、ボリウム４の増幅率に関わりなく、一定の値とすることができる。
【００２９】
このようなキャリブレーションを行った後に、スイッチ２３をオン、スイッチ２５をオフして、アナログ信号の２段の増幅を行わせることにより、アナログ信号の無出力時にボリウムを調整しても、キャリブレーション手段により、ボリウム４の出力オフセットの変化が抑制するように調整されているので、ポップ音を小さくすることができる。
【００３０】
次に、上記キャリブレーションについて、より具体的に説明する。図１において、電源投入時のアナログ信号の増幅を行う前に、次のキャリブレーションを行う。
【００３１】
まず、前段のボリウム１のスイッチ２３をオフし、入力端子２との接続を遮断するとともに、後段のボリウム４のスイッチ２５をオンして、前段のボリウム１の出力端子３と、後段のボリウム４でオペアンプ１５の反転入力端子１９とを接続する。このとき、スイッチ１２，１３は、いずれか一方または両方がオンであればよく、この時の抵抗値（Ｒ11またはＲ12またはＲ11＋Ｒ12）を図３ではＲｐとしている。
前段のボリウム１はボルテージフォロアの構成となるので、出力端子３には、オペアンプ７の入力オフセット電圧ｖ01に相当する出力電圧Ｖ01が出力される。また、後段のボリウム４のオペアンプ１５は、上記出力電圧Ｖ01とオペアンプ１５の入力オフセット電圧ｖ02との差と、オペアンプ１５の非反転入力端子２２に印加された基準電圧である相殺電圧Ｖkの大小を比較するコンパレータの構成となる。
【００３２】
オペアンプ１５の出力端子６の電圧は、上記出力電圧Ｖ01とオペアンプ１５の入力オフセット電圧ｖ02との差が、上記相殺電圧Ｖkを越えた場合には０Ｖ（グランドレベル）となり、上記出力電圧Ｖ01とオペアンプ１５の入力オフセット電圧ｖ02との差が上記相殺電圧Ｖk以下の場合には電源電圧Ｖccとなる。
コントロール回路２７は上記出力端子６の電圧を監視しながら上記相殺電圧発生手段２６を制御して上記相殺電圧Ｖkの値を変化させ、上記相殺電圧Ｖkの値を、上記出力端子６の出力電圧が０ＶからＶccあるいは０ＶからＶccに変化した点（変化点）での値に固定する。すなわち、上記相殺電圧発生手段２６からの相殺電圧Ｖkを、上記出力電圧Ｖ01とオペアンプ１５の入力オフセット電圧ｖ02との差と等しくなるように相殺電圧発生手段２６を制御する。
【００３３】
なお、後段のオペアンプ１５はコンパレータにするために、ボリウム４のスイッチ２０，２１の両方をオフとし、この時の抵抗値（Ｒ21＋Ｒ22＋Ｒ23）を図３ではＲｑとしている。
【００３４】
本実施の形態１におけるキャリブレーションの後のボリウム調整によるオフセット変化について説明する。
キャリブレーション後は、上記相殺電圧ＶkはＶk＝ｖ01−ｖ02となるように設定されているので、後段のボリウム４のスイッチ２０をオフし、スイッチ２１をオンした状態（増幅率Ａ21＝Ｒ23／（Ｒ21＋Ｒ22））では、ボリウム４の出力オフセットＶ02は、Ｖ02＝Ａ21・（ｖ01−ｖ02−Ｖk）＋ｖ02＝ｖ02、すなわち、オペアンプ１５の入力オフセット電圧に等しい値となる。
次に、この状態からスイッチ２０をオンし、スイッチ２１をオフした状態（増幅率Ａ23＝（Ｒ22＋Ｒ23）／Ｒ21）にボリウムを調整した場合でも、ボリウム４の出力オフセットＶ02は、Ｖ02＝Ａ23・（ｖ01−ｖ02−Ｖk）＋ｖ02＝ｖ02となり、ボリウム４の出力オフセットＶ02はボリウム４の増幅率に関わりなく一定の値となる。
このように、ボリウム調整を後段で行い、後段のボリウム４の増幅率をＡ21からＡ23に切換えても、オペアンプ１５の出力端子６には、前段のボリウム１の出力オフセットＶ01に起因するポップ音が発生しない。
【００３５】
なお、ボリウム調整を前段のボリウム１で行った場合には、ボリウム１はカップリングコンデンサ２ｃにより前段と直流的に遮断されているため抵抗９には直流電流が流れないので、前段のボリウム１の出力電圧Ｖ01は一定(Ｖ01＝ｖ01)である。したがって、キャリブレーション後は、ボリウム調整を前段の増幅率を変えて行っても、前段のオペアンプ７の出力オフセットに起因するポップ音が発生しない。
【００３６】
実施の形態２．
上記実施の形態１では、キャリブレーションは電源投入時に行われたが、この実施の形態２では、図４に示すように電源スイッチ４０の投入を検知したとき、スイッチ２３と、スイッチ２４をキャリブレーション状態に設定するように切換えるとともにコントロール回路２７に起動信号を送るキャリブレーション設定手段４１を設けている。これにより、電源投入毎にキャリブレーション設定手段４１が動作してキャリブレーションを自動的に行わせる。
これにより、電源投入毎にキャリブレーションが自動的に行われ、ポップ音を小さくすることができる。
【００３７】
実施の形態３．
上記実施の形態２では、キャリブレーションは電源投入毎に行われたが、この実施の形態３では、図５に示すように上記キャリブレーション設定手段４１にカウンター４２を設けて上記実施の形態１と同様な構成をとり、ボリウム回路を構成し、このカウンター４２で電源投入回数を記憶し、電源投入回数が設定回数（例えば２０回）に達したときに、キャリブレーション設定手段４１によりスイッチ２３と、スイッチ２４を切換えて、コントロール回路２７を起動することによりキャリブレーション状態に設定するようにしてもよい。
このようにすれば、電源投入毎にキャリブレーションが行われず、複数回毎にキャリブレーションが行われるので、電源投入毎のキャリブレーションにともなうアナログ信号増幅動作の遅延を抑止できる。
【００３８】
実施の形態４．
上記実施の形態２では、キャリブレーションは電源投入毎に行われたが、この実施の形態４では、図６に示すようにＣＤ、ＭＤやカセットテープの取り出しを検知する取り出し検知手段４３を設け、上記実施の形態１と同様な構成をとりボリウム回路を構成し、ＣＤ、ＭＤの取り出しを検知したときに、キャリブレーション状態に設定することにより、ＣＤ、ＭＤやカセットテープを取り出し、入れ替えているときにキャリブレーションを自動的に行わせることができる。
これにより、アナログ信号の増幅が行われていないときにキャリブレーションを行い、同時にドリフト（オフセットの時間変化）も調整され、ポップ音を小さくすることができる。
【００３９】
また、本発明では、通常のオーディオ機器等は、待機電力を有しているので、オーディオ音楽等のアナログ停止スイッチ（カセットテープ、ＣＤ、ＭＤの停止ボタン等）がオンして停止された後に、この待機電力にもとづきキャリブレーション動作を必要時間行うようにしてもよい。
これによれば、音楽等のアナログ信号の出力が停止された後にキャリブレーションが行われるので、アナログ信号の出力の立ち上がり前に行う場合と異なって、アナログ信号の立ち上がり動作に何等の支障を与えない。
【００４０】
また、このキャリブレーションは、ＡＭ、ＦＭ等のプリセット方式のオートチューニングで同調させているとき、カセットテープを早送り、巻き戻し、オートリバースさせているとき等のミュートさせる時や曲が、ＣＤ、ＭＤの曲の間での音楽信号がないとき、曲がフェードアウトしたときに行わせてもよい。
【００４１】
上記キャリブレーション手段２４は、ボリウム４に設けられていたが、、パワーＩＣにキャリブレーション手段２４を設けてもよい。また、これをパッケージしてＩＣ化してもよい。
また、キャリブレーションは電源投入時に行うことなく、製品の出荷の段階に１回だけ行うものであってもよい。
【００４２】
【発明の効果】
以上説明したように、請求項１に記載の発明によれば、後段のボリウムのオペアンプをコンパレータに設定する後段ボリウムスイッチ部と、上記後段のボリウムのオペアンプの非反転入力側に上記前段のボリウムのオペアンプの入力オフセットの相殺電圧を入力する相殺電圧発生手段と、上記前段のボリウムのオペアンプの入力オフセットと上記相殺電圧とを上記後段ボリウムスイッチ部によりコンパレータに設定された上記後段のオペアンプで比較し、その比較結果に基づいて、上記前段と後段のオペアンプの入力オフセット差が０となるように上記相殺電圧発生手段を制御するコントロール回路とを有し、前段のオペアンプの入力オフセットに対して、後段のオペアンプの入力オフセットを一致させるようにこのオフセットを調整するキャリブレーション手段を備えたので、比較的に簡単な構成で出力オフセット電圧の変化を確実に低減し、ポップ音を小さくすることができる。
【００４３】
また、請求項２に記載の発明によれば、上記前段のボリウムのオペアンプをボルテージフォロアに設定して、上記前段のボリウムのオペアンプからオフセットを発生させる前段ボリウムスイッチ部を備えたので、この前段ボリウムスイッチ部の操作により簡単に、しかも前段のボリウムのオペアンプの入力オフセット電圧を正確に後段のボリウムに入力させることができる。
【図面の簡単な説明】
【図１】  本発明の実施の形態１に係わるボリウム回路の構成を示す回路図である。
【図２】  実施の形態１に係わるボリウム回路の等価回路を示す回路図である。
【図３】  実施の形態１に係わるキャリブレーション時のボリウム回路の等価回路を示す回路図である。
【図４】  実施の形態２に係わるボリウム回路の構成を示す回路図である。
【図５】  実施の形態３に係わるボリウム回路の構成を示す回路図である。
【図６】  実施の形態４に係わるボリウム回路の構成を示す回路図である。
【図７】  従来のボリウム回路の構成を示す回路図である。
【図８】  ポップ音を説明する説明図である。
【符号の説明】
１  前段のボリウム、４  後段のボリウム、７  前段のオペアンプ、１５  後段のオペアンプ、２３  第１スイッチ部、２４  キャリブレーション手段、２５第２スイッチ部、２６  相殺電圧発生手段、２７  コントロール回路。
【図１】
0003638442.tif 000002
【図２】
0003638442.tif 000003
【図３】
0003638442.tif 000004
【図４】
0003638442.tif 000005
【図５】
0003638442.tif 000006
【図６】
0003638442.tif 000007
【図７】
0003638442.tif 000008
【図８】
0003638442.tif 000009